(57)【要約】【課題】  可搬消防ポンプの状態を、その設置場所から離れた場所にいても知ることができる可搬消防ポンプを得る。【解決手段】  可搬消防ポンプ本体１に、その運転状況を表示する表示灯２を、この可搬消防ポンプ本体１から離れた位置から視認できる高さの位置で表示できるように設ける。【選択図】    図１
2005334138.tif 000002
【特許請求の範囲】
【請求項１】
可搬消防ポンプ本体に、該可搬消防ポンプ本体の運転状況を表示する表示灯が、該可搬消防ポンプ本体から離れた位置から視認できる高さの位置で表示できるように設けられていることを特徴とする可搬消防ポンプ。
【請求項２】
前記表示灯は脚部を介して前記可搬消防ポンプ本体に取り付けられていることを特徴とする請求項１に記載の可搬消防ポンプ。
【請求項３】
前記脚部は伸縮して高さの調節ができる構造になっていることを特徴とする請求項１または２に記載の可搬消防ポンプ。
【請求項４】
前記表示灯は前記可搬消防ポンプ本体から取り外し可能になっていることを特徴とする請求項１〜３のいずれか１項に記載の可搬消防ポンプ。
【請求項５】
前記表示灯は、前記可搬消防ポンプ本体を構成している燃料タンクの燃料の減少を検出するセンサー、前記可搬消防ポンプ本体を構成しているエンジンに潤滑油を供給する潤滑用オイルタンクのオイルの減少を検出するセンサーの少なくとも一方が検出動作を行ったときに表示を行う構成になっていることを特徴とする請求項１〜４のいずれか１項に記載の可搬消防ポンプ。
【請求項６】
前記表示灯は、前記エンジンを冷却している冷却水の減少により該エンジンのオーバーヒートを検出するセンサーが検出動作を行ったときに表示を行う構成になっていることを特徴とする請求項１〜４のいずれか１項に記載の可搬消防ポンプ。
【請求項７】
前記表示灯は、前記可搬消防ポンプ本体を構成していて吸水を行う真空ポンプが一定時間吸水を行わないことをセンサーが検出動作を行ったときに表示を行う構成になっていることを特徴とする請求項１〜４のいずれか１項に記載の可搬消防ポンプ。
【請求項８】
前記表示灯は１個であって、前記可搬消防ポンプ本体を構成している燃料タンクの燃料の減少を検出するセンサー、前記可搬消防ポンプ本体を構成しているエンジンに潤滑油を供給する潤滑用オイルタンクのオイルの減少を検出するセンサーの少なくとも一方が検出動作を行ったとき、前記エンジンを冷却している冷却水の減少により該エンジンのオーバーヒートを検出するセンサーが検出動作を行ったとき、前記可搬消防ポンプ本体を構成していて吸水を行う真空ポンプが一定時間吸水を行わないことをセンサーが検出動作を行ったときに、表示状態を変えて表示を行う構成になっていることを特徴とする請求項１〜４のいずれか１項に記載の可搬消防ポンプ。
【請求項９】
前記表示灯は１個であって、前記可搬消防ポンプ本体を構成している燃料タンクの燃料の減少を検出するセンサー、前記可搬消防ポンプ本体を構成しているエンジンに潤滑油を供給する潤滑用オイルタンクのオイルの減少を検出するセンサーの少なくとも一方が検出動作を行ったとき、前記エンジンを冷却している冷却水の減少により該エンジンのオーバーヒートを検出するセンサーが検出動作を行ったとき、前記可搬消防ポンプ本体を構成していて吸水を行う真空ポンプが一定時間吸水を行わないことをセンサーが検出動作を行ったとき、前記可搬消防ポンプ本体が送水を行っていることをセンサーが検出動作を行ったときに、表示状態を変えて表示を行う構成になっていることを特徴とする請求項１〜４のいずれか１項に記載の可搬消防ポンプ。
【発明の詳細な説明】
【技術分野】
【０００１】
本発明は、消防自動車等に載せて現場に搬送する可搬消防ポンプに関するものである。
【背景技術】
【０００２】
従来の可搬消防ポンプにおいては、例えば該可搬消防ポンプを構成している燃料タンクに設けられたセンサーによって燃料が減少したとき、該可搬消防ポンプを構成しているオイルタンクに設けられたセンサーによってオイルが減少したとき、該可搬消防ポンプを構成しているエンジンの起動で駆動される真空ポンプが一定時間、給水が止まったとき等に、該可搬消防ポンプの前面の操作盤に設けられたモニタランプが点灯または点滅してその状態を警告表示する構造であった（例えば、特許文献１参照。）。
【特許文献１】特開２０００−２７９５４１号公報（図６）
【発明の開示】
【発明が解決しようとする課題】
【０００３】
しかしながら、このような構造の可搬消防ポンプでは、操作盤上でモニタランプが点灯または点滅しても、消防作業員はこの可搬消防ポンプの設置場所から離れた場所で消火活動していることが多く、この可搬消防ポンプの状態がどのようになっているのか、分からない問題点があった。
【０００４】
本発明の目的は、可搬消防ポンプの状態を、その設置場所から離れた場所にいても知ることができる可搬消防ポンプを提供することにある。
【０００５】
本発明の他の目的は、可搬消防ポンプの各種の状態を、その設置場所から離れた場所にいても知ることができる可搬消防ポンプを提供することにある。
【０００６】
本発明の他の目的は、可搬消防ポンプの各種の状態を、１個の表示灯で表示させることができる可搬消防ポンプを提供することにある。
【課題を解決するための手段】
【０００７】
本発明に係る可搬消防ポンプは、可搬消防ポンプ本体に、該可搬消防ポンプ本体の運転状況を表示する表示灯が、該可搬消防ポンプ本体から離れた位置から視認できる高さの位置で表示できるように設けられていることを特徴とする。
【０００８】
この場合、前記表示灯は脚部を介して前記可搬消防ポンプ本体に取り付けられていることが好ましい。
【０００９】
また、前記脚部は伸縮して高さの調節ができる構造になっていることが好ましい。
【００１０】
また、前記表示灯は前記可搬消防ポンプ本体から取り外し可能になっていることが好ましい。
【００１１】
また、前記表示灯は、前記可搬消防ポンプ本体を構成している燃料タンクの燃料の減少を検出するセンサー、前記可搬消防ポンプ本体を構成しているエンジンに潤滑油を供給する潤滑用オイルタンクのオイルの減少を検出するセンサーの少なくとも一方が検出動作を行ったときに表示を行う構成になっていることが好ましい。
【００１２】
また、前記表示灯は、前記エンジンを冷却している冷却水の減少により該エンジンのオーバーヒートを検出するセンサーが検出動作を行ったときに表示を行う構成になっていることが好ましい。
【００１３】
また、前記表示灯は、前記可搬消防ポンプ本体を構成していて吸水を行う真空ポンプが一定時間吸水を行わないことをセンサーが検出動作を行ったときに表示を行う構成になっていることが好ましい。
【００１４】
また、前記表示灯は１個であって、前記可搬消防ポンプ本体を構成している燃料タンクの燃料の減少を検出するセンサー、前記可搬消防ポンプ本体を構成しているエンジンに潤滑油を供給する潤滑用オイルタンクのオイルの減少を検出するセンサーの少なくとも一方が検出動作を行ったとき、前記エンジンを冷却している冷却水の減少により該エンジンのオーバーヒートを検出するセンサーが検出動作を行ったとき、前記可搬消防ポンプ本体を構成していて吸水を行う真空ポンプが一定時間吸水を行わないことをセンサーが検出動作を行ったときに、表示状態を変えて表示を行う構成になっていることが好ましい。
【００１５】
さらに、前記表示灯は１個であって、前記可搬消防ポンプ本体を構成している燃料タンクの燃料の減少を検出するセンサー、前記可搬消防ポンプ本体を構成しているエンジンに潤滑油を供給する潤滑用オイルタンクのオイルの減少を検出するセンサーの少なくとも一方が検出動作を行ったとき、前記エンジンを冷却している冷却水の減少により該エンジンのオーバーヒートを検出するセンサーが検出動作を行ったとき、前記可搬消防ポンプ本体を構成していて吸水を行う真空ポンプが一定時間吸水を行わないことをセンサーが検出動作を行ったとき、前記可搬消防ポンプ本体が送水を行っていることをセンサーが検出動作を行ったときに、表示状態を変えて表示を行う構成になっていることが好ましい。
【発明の効果】
【００１６】
本発明に係る可搬消防ポンプは、可搬消防ポンプ本体に、該可搬消防ポンプ本体の運転状況を表示する表示灯が、該可搬消防ポンプ本体から離れた位置から視認できる高さの位置で表示できるように設けられているので、消防作業員はこの可搬消防ポンプの設置場所から離れた場所にいても、この表示灯の表示状態を視認することにより該可搬消防ポンプ本体の運転状況を知ることができる。このため可搬消防ポンプ本体が大きなダメージを受けたり、消火活動に支障をきたすのを防止することができる。
【００１７】
この場合、表示灯が脚部を介して前記可搬消防ポンプ本体に取り付けられていると、該表示灯の視認できる高さの設定を容易に行うことができる。
【００１８】
また、脚部が伸縮して高さの調節ができる構造になっていると、表示灯の高さの調整を容易に行うことができる。さらに、可搬消防ポンプ本体を消防自動車に積載するときに、その設置スペースの高さが十分でなく、表示灯が該消防自動車の一部に当たるようなときに、表示灯の高さを低くすることにより該可搬消防ポンプ本体の積載が可能になる。
【００１９】
また、表示灯が可搬消防ポンプ本体から取り外し可能になっていると、オプションにより表示灯を可搬消防ポンプ本体に取り付けたり、取り付けなかったりすることが、容易になる。さらに、可搬消防ポンプ本体を消防自動車に積載するときに、その設置スペースの高さが十分でなく、表示灯が該消防自動車の一部に当たるようなときに、表示灯を外すことにより該可搬消防ポンプ本体の積載が可能になる。
【００２０】
また、表示灯が、可搬消防ポンプ本体を構成している燃料タンクの燃料の減少を検出するセンサー、可搬消防ポンプ本体を構成しているエンジンに潤滑油を供給する潤滑用オイルタンクのオイルの減少を検出するセンサーの少なくとも一方が検出動作を行ったときに表示を行う構成になっていると、燃料タンクの燃料の減少や潤滑用オイルタンクのオイルの減少を該表示灯で表示させることができる。
【００２１】
また、表示灯が、エンジンを冷却している冷却水の減少により該エンジンのオーバーヒートを検出するセンサーが検出動作を行ったときに表示を行う構成になっていると、エンジンのオーバーヒートを該表示灯で表示させることができる。
【００２２】
また、表示灯が、可搬消防ポンプ本体を構成していて吸水を行う真空ポンプが一定時間吸水を行わないことをセンサーが検出動作を行ったときに表示を行う構成になっていると、真空ポンプが一定時間吸水を行わないことを該表示灯で表示させることができる。
【００２３】
また、表示灯が１個であって、可搬消防ポンプ本体を構成している燃料タンクの燃料の減少を検出するセンサー、可搬消防ポンプ本体を構成しているエンジンに潤滑油を供給する潤滑用オイルタンクのオイルの減少を検出するセンサーの少なくとも一方が検出動作を行ったとき、エンジンを冷却している冷却水の減少により該エンジンのオーバーヒートを検出するセンサーが検出動作を行ったとき、可搬消防ポンプ本体を構成していて吸水を行う真空ポンプが一定時間吸水を行わないことをセンサーが検出動作を行ったときに、表示状態を変えて表示を行う構成になっていると、１個の表示灯によって異なる表示状態をさせることにより表示が可能になる。
【００２４】
さらに、表示灯が１個であって、可搬消防ポンプ本体を構成している燃料タンクの燃料の減少を検出するセンサー、可搬消防ポンプ本体を構成しているエンジンに潤滑油を供給する潤滑用オイルタンクのオイルの減少を検出するセンサーの少なくとも一方が検出動作を行ったとき、エンジンを冷却している冷却水の減少により該エンジンのオーバーヒートを検出するセンサーが検出動作を行ったとき、可搬消防ポンプ本体を構成していて吸水を行う真空ポンプが一定時間吸水を行わないことをセンサーが検出動作を行ったとき、可搬消防ポンプ本体が送水を行っていることをセンサーが検出動作を行ったときに、表示状態を変えて表示を行う構成になっていると、１個の表示灯によって異なる表示状態をさせることにより表示が可能になる。特に、この表示灯は、可搬消防ポンプ本体が送水を行っていることの表示も行うことができる。
【発明を実施するための最良の形態】
【００２５】
以下、本発明に係る可搬消防ポンプを実施するための最良の形態の一例を図１乃至図５を参照して詳細に説明する。これらの図において、図１は本例の可搬消防ポンプの正面図、図２は図１の左側面図、図３は図１の右側面図、図４は図１の平面図である。
【００２６】
本例の可搬消防ポンプは、可搬消防ポンプ本体１を有する。該可搬消防ポンプ本体１には、該可搬消防ポンプ本体１の運転状況を表示する表示灯２が、該可搬消防ポンプ本体１から離れた位置から視認できる高さの位置で表示できるように設けられている。表示灯２は、例えば点滅灯や回転灯等で構成されている。
【００２７】
この表示灯２は、脚部３を介して可搬消防ポンプ本体１に縦向きに取り付けられている。脚部３は伸縮して高さの調節ができる構造になっている。即ち、この脚部３は太い管状の脚アーム３ａとその中にスライド可能に嵌る細い管状の脚アーム３ｂとを伸縮自在につないで、脚アーム３ｂを脚アーム３ａに固定ネジ３ｃで固定する構造になっている。この場合、下側の脚アーム３ａの高さは、可搬消防ポンプ本体１の高さより低く、脚アーム３ｂを脚アーム３ａに嵌めて表示灯２を下げた状態で、該表示灯２の上端が可搬消防ポンプ本体１の上端よりあまり上に突出しないことが好ましい。
【００２８】
表示灯３は、可搬消防ポンプ本体１を構成している燃料タンク４の燃料の減少を検出する燃料残量センサー５、該可搬消防ポンプ本体１を構成しているエンジン６に潤滑油を供給する潤滑用オイルタンク７のオイルの減少を検出するオイル残量センサー８の少なくとも一方が検出動作を行ったときに表示を行う構成になっている。
【００２９】
これら燃料の減少を検出するセンサー５が検出をするか、潤滑用オイルタンク７のオイルの減少を検出するセンサー８が検出をすると、可搬消防ポンプ本体１の正面の操作盤９上のモニターランプ１０，１１が点灯して表示を行うようになっている。
【００３０】
また、表示灯３は、エンジン６を冷却している冷却水の減少により該エンジン６のオーバーヒートを検出するオーバーヒートセンサー１２が検出動作を行ったときに表示を行う構成になっている。
【００３１】
このオーバーヒートセンサー１２が検出動作を行うと、操作盤９上のモニターランプ１３が点灯して表示を行うようになっている。
【００３２】
また、表示灯３は、可搬消防ポンプ本体１を構成していて吸水を行う真空ポンプ１４が一定時間吸水を行わないことを水検知センサー１５が検出動作を行ったときに表示を行う構成になっている。真空ポンプ１４は、エンジン６が作動されると自動的に駆動されて，吸水を行うようになっている。吸水が完了すると、センサー１５の検知によって自動的に真空ポンプ１４の駆動を停止するようになっている。真空ポンプ１４の箇所にはロータリソレノイド１６が設けられていて、センサー１５の出力で真空ポンプ１４の駆動及び停止を自動で行うようになっている。
【００３３】
水検知センサー１５が検出動作を行うと、操作盤９上のモニターランプ１７が点灯して表示を行うようになっている。
【００３４】
本例では、表示灯２を含めて脚部３は、可搬消防ポンプ本体１から取り外し可能になっている。なお、場合によっては、上側の脚アーム３ｂと表示灯２が可搬消防ポンプ本体１から取り外し可能になっていてもよい。このような表示灯２の取り外しに伴い、操作盤９から該表示灯２に給電しているコード１８は、その基端のコネクタ１９を操作盤９のコネクタ２０から外せるようになっている。
【００３５】
また本例では、表示灯２は１個であって、燃料タンク４の燃料の減少を検出する燃料残量センサー５、潤滑用オイルタンク７のオイルの減少を検出するオイル残量センサー８の少なくとも一方が検出動作を行ったとき、エンジン６を冷却している冷却水の減少により該エンジン６のオーバーヒートを検出するオーバーヒートセンサー１２が検出動作を行ったとき、真空ポンプ１４が一定時間吸水を行わないことを水検知センサー１５が検出動作を行ったときに、表示状態を変えて表示を行う構成になっている。この場合の表示灯２の表示は、燃料残量センサー５とオイル残量センサー８の少なくとも一方が検出動作を行ったときには例えば１Ｈｚ周期の点滅を行い、オーバーヒートセンサー１２が検出動作を行ったとき例えば１０Ｈｚ周期の点滅を行い、真空ポンプ１４が一定時間吸水を行わないことを水検知センサー１５が検出動作を行ったとき連続消灯を行うようになっている。
【００３６】
あるいは、表示灯２は１個であって、燃料タンク４の燃料の減少を検出する燃料残量センサー５、潤滑用オイルタンク７のオイルの減少を検出するオイル残量センサー８の少なくとも一方が検出動作を行ったとき、エンジン６を冷却している冷却水の減少により該エンジン６のオーバーヒートを検出するオーバーヒートセンサー１２が検出動作を行ったとき、真空ポンプ１４が一定時間吸水を行わないことを水検知センサー１５が検出動作を行ったとき、可搬消防ポンプ本体１が送水を行っていることを水検知センサー１５が検出動作を行ったときに、表示状態を変えて表示を行う構成になっていてもよい。この場合の表示灯２の表示は、燃料残量センサー５とオイル残量センサー８の少なくとも一方が検出動作を行ったときには例えば１Ｈｚ周期の点滅を行い、オーバーヒートセンサー１２が検出動作を行ったとき例えば１０Ｈｚ周期の点滅を行い、真空ポンプ１４が一定時間吸水を行わないことを水検知センサー１５が検出動作を行ったとき連続消灯を行い、可搬消防ポンプ本体１が送水を行っていることを水検知センサー１５が検出動作を行ったとき連続点灯を行うようになっている。
【００３７】
なお、２１は可搬消防ポンプ本体１から送水を行う吐水部である。
【００３８】
このような可搬消防ポンプは、可搬消防ポンプ本体１に、該可搬消防ポンプ本体１の運転状況を表示する表示灯２が、該可搬消防ポンプ本体１から離れた位置から視認できる高さの位置で表示できるように設けられているので、消防作業員はこの可搬消防ポンプの設置場所から離れた場所にいても、この表示灯２の表示状態を視認することにより該可搬消防ポンプ本体１の運転状況を知ることができる。このため可搬消防ポンプ本体１が大きなダメージを受けたり、消火活動に支障をきたすのを防止することができる。
【００３９】
この場合、表示灯２が脚部３を介して可搬消防ポンプ本体１に取り付けられているので、該表示灯２の視認できる高さの設定を容易に行うことができる。
【００４０】
また、脚部３が伸縮して高さの調節ができる構造になっているので、表示灯２の高さの調整を容易に行うことができる。さらに、可搬消防ポンプ本体１を消防自動車に積載するときに、その設置スペースの高さが十分でなく、表示灯２が該消防自動車の一部に当たるようなときに、表示灯２の高さを低くすることにより該可搬消防ポンプ本体１の積載が可能になる。
【００４１】
また、表示灯２が可搬消防ポンプ本体１から取り外し可能になっていると、オプションにより表示灯２を可搬消防ポンプ本体１に取り付けたり、取り付けなかったりすることが、容易になる。さらに、可搬消防ポンプ本体１を消防自動車に積載するときに、その設置スペースの高さが十分でなく、表示灯２が該消防自動車の一部に当たるようなときに、表示灯２を外すことにより該可搬消防ポンプ本体１の積載が可能になる。
【００４２】
また、表示灯２が、可搬消防ポンプ本体１を構成している燃料タンク４の燃料の減少を検出するセンサー５、可搬消防ポンプ本体１を構成しているエンジン６に潤滑油を供給する潤滑用オイルタンク７のオイルの減少を検出するセンサー８の少なくとも一方が検出動作を行ったときに表示を行う構成になっているので、燃料タンク４の燃料の減少や潤滑用オイルタンク７のオイルの減少を該表示灯２で表示させることができる。従って、可搬消防ポンプ本体１のオイルの減少が分かり、オイルを補給することにより、消火活動に支障をきたさないようにすることができる。
【００４３】
また、表示灯２が、エンジン６を冷却している冷却水の減少により該エンジン６のオーバーヒートを検出するセンサー１２が検出動作を行ったときに表示を行う構成になっているので、エンジン６のオーバーヒートを該表示灯２で表示させることができる。このためエンジン６のオーバーヒートに早急に対応することができ、消火活動に支障をきたさないようにすることができる。
【００４４】
また、表示灯２が、可搬消防ポンプ本体１を構成していて吸水を行う真空ポンプ１４が一定時間吸水を行わないことをセンサー１５が検出動作を行ったときに表示を行う構成になっているので、真空ポンプ１４が一定時間吸水を行わないことを該表示灯２で表示させることができる。従って、吸水停止が分かり、その対策を取ることにより、消火活動に支障をきたさないようにすることができる。
【００４５】
また、表示灯２が１個であって、可搬消防ポンプ本体１を構成している燃料タンク４の燃料の減少を検出するセンサー５、可搬消防ポンプ本体１を構成しているエンジン６に潤滑油を供給する潤滑用オイルタンク７のオイルの減少を検出するセンサー８の少なくとも一方が検出動作を行ったとき、エンジン６を冷却している冷却水の減少により該エンジン６のオーバーヒートを検出するセンサー１２が検出動作を行ったとき、可搬消防ポンプ本体１を構成していて吸水を行う真空ポンプ１４が一定時間吸水を行わないことをセンサー１５が検出動作を行ったときに、表示状態を変えて表示を行う構成になっていると、１個の表示灯２によって異なる表示状態をさせることにより表示が可能になる。
【００４６】
さらに、表示灯２が１個であって、可搬消防ポンプ本体１を構成している燃料タンク４の燃料の減少を検出するセンサー５、可搬消防ポンプ本体１を構成しているエンジン６に潤滑油を供給する潤滑用オイルタンク７のオイルの減少を検出するセンサー８の少なくとも一方が検出動作を行ったとき、エンジン６を冷却している冷却水の減少により該エンジン６のオーバーヒートを検出するセンサー１２が検出動作を行ったとき、可搬消防ポンプ本体１を構成していて吸水を行う真空ポンプ１４が一定時間吸水を行わないことをセンサー１５が検出動作を行ったとき、可搬消防ポンプ本体１が送水を行っていることをセンサー１５が検出動作を行ったときに、表示状態を変えて表示を行う構成になっていると、１個の表示灯２によって異なる表示状態をさせることにより表示が可能になる。特に、この表示灯２は、可搬消防ポンプ本体１が送水を行っていることの表示も行うことができる。
【００４７】
このような各センサー５，８，１２，１５からの信号により１個の表示灯２に表示を行わせる電気回路の構成の一例を、図５に示すブロック図にて説明する。
【００４８】
各センサー５，８，１２，１５からの信号は、制御部２２に入力されるようになっている。制御部２２は、ＣＰＵ（中央処理部）２３、タイマー２４、入力部２５および出力部２６にて構成され、電源２７からの給電により動作するようになっている。各センサー５，８，１２，１５からの信号は、入力部２５を経てＣＰＵ２３に入力されるようになっている。ＣＰＵ２３からは、出力部２６を経て表示灯２，エンジン停止装置２８，ロータリソレノイド１６に出力が与えられるようになっている。
【００４９】
このような電気回路では、各センサー５，８，１２，１５から入力部２５を経てＣＰＵ２３に検出入力が与えられると、センサーに応じて表示灯２に表示状態を変えて表示を行わせる指令を出力部２６を経て与える。表示灯２の点滅周期の変更は、タイマー２４を用いて行う。センサーからの信号によっては、例えば、オーバーヒートが検出された場合には、エンジン６を停止させる必要があるが、この場合には出力部２６を経てエンジン停止装置２８に信号を送り、エンジン６を停止させる。真空ポンプ１４の駆動及び停止は、出力部２６を経てロータリソレノイド１６に信号を送って自動的に行う。
【００５０】
上記例では、表示灯を１個にしたが、表示灯は複数個でもよい。複数個の表示灯の場合には、離れた場所から見たときに、重なって見えない表示灯がないように配置を考慮する必要がある。
【図面の簡単な説明】
【００５１】
【図１】本発明に係る可搬消防ポンプを実施するための最良の形態の一例を示す正面図である。
【図２】図１の左側面図である。
【図３】図１の右側面図である。
【図４】図１の平面図である。
【図５】本例の可搬消防ポンプで用いている電気回路の一例を示すブロック図である。
【符号の説明】
【００５２】
１  可搬消防ポンプ本体
２  表示灯
３  脚部
３ａ，３ｂ  脚アーム
３ｃ  固定ネジ
４  燃料タンク
５  燃料残量センサー
６  エンジン
７  潤滑用オイルタンク
８  オイル残量センサー
９  操作盤
１０，１１  モニターランプ
１２  オーバーヒートセンサー
１３  モニターランプ
１４  真空ポンプ
１５  水検知センサー
１６  ロータリソレノイド
１７  モニターランプ
１８  コード
１９，２０  コネクタ
２２  制御部
２３  ＣＰＵ（中央処理部）
２４  タイマー
２５  入力部
２６  出力部
２７  電源
２８  エンジン停止装置
【図１】
2005334138.tif 000003
【図２】
2005334138.tif 000004
【図３】
2005334138.tif 000005
【図４】
2005334138.tif 000006
【図５】
2005334138.tif 000007